(57)【要約】【課題】入隅部を有するように複数のライニングを配置した場合に、より外観に優れるトイレユニットを提供すること。【解決手段】便器１０と、第１ライニング３０と、第１ライニング３０の一端部の前面３０ａ側に配置される第２ライニング４０と、第１ライニング３０及び第２ライニング４０により形成される入隅部３４と、を備えるトイレユニット１であって、第１ライニング３０は、入隅部３４が形成される位置の前面を構成すると共に第２ライニング４０に覆われる位置に開口３２４が形成された第１入隅部前板３２１ａを有し、第２ライニング４０は、入隅部３４が形成される位置の前面を構成する第２入隅部前板７０を有し、第２入隅部前板７０は、前板本体部７１と、前板本体部７１における第１ライニング３０側に位置する側部から延出し開口３２４まで第１ライニング３０側に延びる延出部７２と、を備える。【選択図】図７
2016065359.tif 000002
【特許請求の範囲】
【請求項１】
便器と、
第１ライニングと、
前記第１ライニングの一端部の前面側に、該第１ライニングに対して所定の角度を有するように配置される第２ライニングと、
前記第１ライニング及び前記第２ライニングにより形成される入隅部と、を備えるトイレユニットであって、
前記第１ライニングは、前記入隅部が形成される位置の前面を構成すると共に前記第２ライニングに覆われる位置に開口が形成された第１入隅部前板を有し、
前記第２ライニングは、前記入隅部が形成される位置の前面を構成する第２入隅部前板を有し、
前記第２入隅部前板は、
前板本体部と、
前記前板本体部における前記第１ライニング側に位置する側部から延出し前記開口まで前記第１ライニング側に延びる延出部と、を備えるトイレユニット。
【請求項２】
前記延出部は、前記前板本体部の背面側から延出する請求項１に記載のトイレユニット。
【請求項３】
前記第１ライニングは、前記便器の後方に配置され、
前記第２ライニングは、前記便器の側方に配置される請求項１又は２に記載のトイレユニット。
【請求項４】
前記第２入隅部前板は、
板部材と、
前記板部材の厚さよりも薄く構成され、少なくとも前記板部材の前面側を覆う化粧板と、を含んで構成され、
前記延出部は、前記化粧板における前記板部材の側面より延出した部分により構成される請求項１〜３のいずれかに記載のトイレユニット。
【発明の詳細な説明】
【技術分野】
【０００１】
本発明は、トイレユニットに関する。より詳細には、便器と、この便器の後方に配置される後方ライニングと、便器の側方に配置される側方ライニングと、を備えるトイレユニットに関する。
【背景技術】
【０００２】
従来、車いすで出入りできるトイレユニットとして、便器と、この便器の後方に配置される後方ライニングと、便器の側方に配置される側方ライニングと、を備えるトイレユニットが提案されている（例えば、特許文献１参照）。このようなトイレユニットによれば、例えば、側方ライニングの上面に手洗器を設置することにより、トイレユニットの使用者は、便器に着座した状態で手洗器を使用できる。また、便器や手洗器に給水を行う給水部等をライニングの内部に収容することで、外観に優れたトイレユニットを実現できる。
【先行技術文献】
【特許文献】
【０００３】
【特許文献１】特開２０１３−２４１７５４号公報
【発明の概要】
【発明が解決しようとする課題】
【０００４】
ところで、後方ライニングと、側方ライニングと、を含んでトイレユニットを構成する場合、トイレユニットを構成する部材の製造時に生じる誤差を許容するために、後方ライニングと側方ライニングとによって形成される入隅部において、後方ライニングと側方ライニングとの間に所定の隙間（例えば、５ｍｍ）が形成されるようにこれらのライニングは設置される。
しかしながら、このように、後方ライニングと側方ライニングとの間に隙間が形成されてしまうと、トイレユニットの外観が損なわれてしまう。また、この隙間に塵や水が侵入してしまうという問題もあった。
【０００５】
従って、本発明は、入隅部を有するように複数のライニングを配置した場合に、より外観に優れたトイレユニットを提供することを目的とする。
【課題を解決するための手段】
【０００６】
本発明は、便器と、第１ライニングと、前記第１ライニングの一端部の前面側に、該第１ライニングに対して所定の角度を有するように配置される第２ライニングと、前記第１ライニング及び前記第２ライニングにより形成される入隅部と、を備えるトイレユニットであって、前記第１ライニングは、前記入隅部が形成される位置の前面を構成すると共に前記第２ライニングに覆われる位置に開口が形成された第１入隅部前板を有し、前記第２ライニングは、前記入隅部が形成される位置の前面を構成する第２入隅部前板を有し、前記第２入隅部前板は、前板本体部と、前記前板本体部における前記第１ライニング側に位置する側部から延出し前記開口まで前記第１ライニング側に延びる延出部と、を備えるトイレユニットに関する。
【０００７】
また、前記延出部は、前記前板本体部の背面側から延出することが好ましい。
【０００８】
また、前記第１ライニングは、前記便器の後方に配置され、前記第２ライニングは、前記便器の側方に配置されることが好ましい。
【０００９】
また、前記第２入隅部前板は、板部材と、前記板部材の厚さよりも薄く構成され、少なくとも前記板部材の前面側を覆う化粧板と、を含んで構成され、前記延出部は、前記化粧板における前記板部材の側面より延出した部分により構成されることが好ましい。
【発明の効果】
【００１０】
本発明によれば、入隅部を有するように複数のライニングを配置した場合に、より外観に優れたトイレユニットを提供できる。
【図面の簡単な説明】
【００１１】
【図１】本発明の一実施形態に係るトイレユニットを示す斜視図である。
【図２】トイレユニットにおける後方ライニングと側方ライニングとの位置関係を、側方ライニングを一部分解して示す斜視図である。
【図３】側方ライニングを示す分解斜視図である。
【図４】第２入隅部前板を示す斜視図である。
【図５】第２入隅部前板を示す正面図である。
【図６】第２入隅部前板を示す平面図である。
【図７】本実施形態のトイレユニットの入隅部の周辺を示す平面図であり、甲板及びカウンターを取り外した状態を示す図である。
【発明を実施するための形態】
【００１２】
以下、本発明のトイレユニットの好ましい一実施形態について、図面を参照しながら説明する。本実施形態のトイレユニット１は、車いすの乗った状態で出入りが可能なトイレルームに設置される。このトイレユニット１は、図１に示すように、便器１０と、汚物流しユニット２０と、後方ライニング（第１ライニング）３０と、側方ライニング（第２ライニング）４０と、この側方ライニング４０の上面に設けられる手洗器５０及び洗面器６０と、可動手すり８１と、固定手すり８２と、を備える。
【００１３】
便器１０は、便器本体１１と、この便器本体１１の上部に便器本体１１に対して開閉可能に取り付けられる便座１２と、を含んで構成される。
ここで、本明細書においては、便座１２に座った使用者から見て、前方を「前方」、後方を「後方」、左側方を「左側方」、右側方を「右側方」とする。
【００１４】
汚物流しユニット２０は、便器１０の右側方に配置される。汚物流しユニット２０は、人工肛門や人工膀胱を造設した使用者が汚物を廃棄する場合等に用いられる。この汚物流しユニット２０は、汚物及び洗浄水を受けるボウル部２１と、このボウル部２１の上方に配置される水栓２２、鏡２３及び液体せっけん収容容器２４と、を備える。
【００１５】
後方ライニング３０は、便器１０及び汚物流しユニット２０の後方に配置される。より具体的には、後方ライニング３０は、少なくとも前面３０ａ及び上面３０ｂを有する箱状に構成され、平面視における長辺がトイレルームの後方壁面１０１に沿うように、かつ、短辺がトイレルームの側方壁面１０２に沿うように配置される。
【００１６】
後方ライニング３０は、骨格を構成するフレーム部３５（図７参照）と、このフレーム部３５に取り付けられフレーム部３５を覆う複数の板状部材と、巾木３３と、含んで構成される。
複数の板状部材は、後方ライニング３０の前面３０ａを構成する複数の前板３２１と、後方ライニング３０の上面３０ｂを構成する甲板３２２と、後方ライニング３０の側方壁面１０２側と反対側に位置する側面を構成する側板３２３と、により構成される。
【００１７】
本実施形態では、前板３２１は、側方壁面１０２側に配置される第１入隅部前板３２１ａを含んで構成される。この第１入隅部前板３２１ａには、図２に示すように、後述する側方ライニング４０が配置される部分に対応する形状に切り欠かれて形成された開口３２４が形成される。
巾木３３は、帯板状の部材により構成され、フレーム部３５の下部に、床面１０３に沿うように取り付けられる。
【００１８】
上述した便器１０及び汚物流しユニット２０は、後方ライニング３０の前面３０ａに取り付けられる。また、後方ライニング３０の前面３０ａにおける便器１０の上方には、背もたれ３１が取り付けられる。また、後方ライニング３０の内部には、便器１０及び汚物流しユニット２０に水を供給する給水部や、汚物流しユニット２０に供給される水を加温する電気温水器等（いずれも図示せず）が配置される。
【００１９】
側方ライニング４０は、便器１０の左側方に配置される。より具体的には、側方ライニング４０は、箱状に構成され、長辺がトイレルームの側方壁面１０２に沿うように、かつ、短辺が後方ライニング３０の第１入隅部前板３２１ａの前側に位置するように配置される。即ち、側方ライニング４０は、後方ライニング３０に対して所定の角度（略９０度）を有するように配置される。そして、後方ライニング３０及び側方ライニング４０により入隅部３４が形成される。
【００２０】
側方ライニング４０は、図２及び図３に示すように、この側方ライニング４０の骨格を構成するフレーム部４１と、このフレーム部４１の上部に配置され側方ライニング４０の上面を構成するカウンター４６と、側方ライニング４０の前面４０ａを構成する複数の前板と、側方ライニング４０の側面を構成する側板と、巾木４４と、ダストボックス４５と、を含んで構成される。
【００２１】
フレーム部４１は、図２に示すように、後述のカウンター４６の手洗側カウンター部４６１を支持する手洗側フレーム部４１ａと、後述の洗面側カウンター部４６２を支持する洗面側フレーム部４１ｂと、を備える。
【００２２】
手洗側フレーム部４１ａ及び洗面側フレーム部４１ｂは、それぞれ、複数の縦フレーム４１１及び複数の横フレーム４１２が溶接等により所定の箇所で接合されて構成される。
本実施形態では、図２に示すように、洗面側フレーム部４１ｂの上端部の位置は、手洗側フレーム部４１ａの上端部よりも低い位置に配置される。また、洗面側フレーム部４１ｂの下端部は、トイレルームの床面１０３に接しておらず、床面１０３から所定の高さ（例えば、３０ｃｍ）上方に位置している。
【００２３】
カウンター４６は、フレーム部４１の上部に配置され、ねじ等によりこのフレーム部４１に固定される。カウンター４６は、フレーム部４１の長手方向ＬＤの長さと略同じ長さに構成され、フレーム部４１の上面の全面を覆う。
カウンター４６は、図３に示すように、手洗側カウンター部４６１と、洗面側カウンター部４６２と、バックガード部４６３と、を備える。
【００２４】
手洗側カウンター部４６１は、手洗側フレーム部４１ａの上部に配置される。この手洗側カウンター部４６１は、手洗側水平面部４６４と、手洗ボウル部５１と、を備える。
手洗側水平面部４６４は、手洗側カウンター部４６１における板状部分を構成する。
【００２５】
手洗ボウル部５１は、手洗側水平面部４６４の一部が凹んで形成される。手洗ボウル部５１は、手洗側カウンター部４６１における後方ライニング３０寄りの位置に配置される。即ち、手洗ボウル部５１は、便座１２に座った状態の使用者の手が容易に届く位置に配置される。
手洗ボウル部５１の底面には、手洗ボウル部５１に吐出された水を排出する排水開口５１ａが形成される。また、手洗側水平面部４６４における手洗ボウル部５１の近傍には、水栓取付開口４６４ａが形成される。
【００２６】
手洗ボウル部５１は、図１に示すように、水栓取付開口４６４ａに取り付けられた手洗側水栓５２と共に手洗器５０を構成する。
【００２７】
洗面側カウンター部４６２は、手洗側カウンター部４６１の長手方向ＬＤの一端側（手洗ボウル部５１が配置された側と反対側）に配置され、洗面側フレーム部４１ｂの上部に配置される。この洗面側カウンター部４６２は、洗面側水平面部４６５と、洗面ボウル部６１と、段差部４６６と、を備える。
【００２８】
洗面側水平面部４６５は、洗面側カウンター部４６２における板状部分を構成する。洗面側水平面部４６５の奥行方向ＷＤの長さは、手洗側水平面部４６４の奥行方向ＷＤの長さよりも長く構成される。洗面側水平面部４６５の上面の位置は、手洗側水平面部４６４の上面の位置よりも低い位置に配置される。
【００２９】
洗面ボウル部６１は、洗面側水平面部４６５の一部が凹んで形成される。洗面ボウル部６１の底面には、洗面ボウル部６１に吐出された水を排出する排水開口６１ａが形成される。また、洗面側水平面部４６５における洗面ボウル部６１の近傍には、水栓取付開口４６５ａ及び容器取付開口４６５ｂが形成される。
洗面ボウル部６１は、図１に示すように、水栓取付開口４６５ａに取り付けられた洗面側水栓６２、及び容器取付開口４６５ｂに取り付けられた液体せっけん収容容器６３と共に、洗面器６０を構成する。
【００３０】
段差部４６６は、手洗側水平面部４６４と洗面側水平面部４６５との間に形成され、これら手洗側水平面部４６４と洗面側水平面部４６５とをつなぐ。本実施形態では、段差部４６６と洗面側水平面部４６５とのなす角度θは鈍角（例えば、１１５°）に構成される。
【００３１】
バックガード部４６３は、長尺の板状に形成され、手洗側カウンター部４６１及び洗面側カウンター部４６２の奥行方向ＷＤの奥側の側縁に沿って配置される。バックガード部４６３の長手方向ＬＤの長さは、手洗側カウンター部４６１の長さと洗面側カウンター部４６２の長さの和に等しく構成される。
【００３２】
複数の前板は、側方ライニング４０の前面４０ａを構成する。本実施形態では、複数の前板は、図１及び図３に示すように、手洗側フレーム部４１ａにおける後方ライニング３０側の側部に配置され入隅部３４が形成される位置の前面を構成する第２入隅部前板７０と、手洗側フレーム部４１ａにおける中央部に配置される中央上部前板４２１及び中央下部前板４２２と、手洗側フレーム部４１ａにおける洗面側フレーム部４１ｂ側の側部に配置される側部前板４２４と、洗面側フレーム部４１ｂに配置される洗面前板４２５と、により構成される。
【００３３】
側板は、前板と同様に固定金具やねじを介してフレーム部４１に固定され、側方ライニング４０の側面を構成する。本実施形態では、側板は、手洗側フレーム部４１ａに固定される手洗側側板４３１と、洗面側フレーム部４１ｂに固定される洗面側側板４３２と、により構成される。
【００３４】
これら第２入隅部前板７０、中央上部前板４２１、中央下部前板４２２、側部前板４２４、及び洗面前板４２５、並びに手洗側側板４３１及び洗面側側板４３２は、いずれも固定金具やねじ（図示せず）を介してフレーム部４１に固定される。
【００３５】
本実施形態では、図１に示すように、中央上部前板４２１及び中央下部前板４２２は、これら中央上部前板４２１及び中央下部前板４２２の間に所定の隙間が形成されるようにフレーム部４１に取り付けられる。また、中央上部前板４２１には、図３に示すように、開口部１０５，１０６が形成され、これらの開口部１０５，１０６には、トイレユニット１を操作する操作部８３，８４が着脱可能に取り付けられる。また、中央上部前板４２１には、紙巻器１１５が取り付けられる。
【００３６】
ここで、第２入隅部前板７０をフレーム部４１に取り付ける場合、第２入隅部前板７０の寸法にばらつきが生じることを考慮し、後方ライニング３０の前面３０ａ（第１入隅部前板３２１ａの前面）と第２入隅部前板７０の側面との間に所定の隙間Ｇ（例えば、５ｍｍ）が形成されるように第２入隅部前板７０はフレーム部４１に固定される（図７参照）。
しかしながら、後方ライニング３０と側方ライニング４０との間に隙間が形成されてしまうと、トイレユニット１の外観が損なわれてしまう。また、この隙間Ｇに塵や水が侵入してしまう。
【００３７】
そこで、本実施形態では、第２入隅部前板７０を、前板本体部７１と延出部７２とを含んで構成することで、隙間Ｇを塞ぎ、トイレユニット１の外観を向上させている。
ここで、第２入隅部前板７０の詳細について、図４〜図７を参照しながら説明する。
第２入隅部前板は、前板本体部７１と、延出部７２と、を備える。前板本体部７１は、矩形板状に形成される。本実施形態では、前板本体部７１は、石膏ボード等からなる板部材と、この板部材の前面及び側面を覆う金属製の化粧板と、により構成される。化粧板の厚さは、板部材の厚さよりも薄く構成される。
【００３８】
延出部７２は、前板本体部７１の厚さよりも薄い板状に形成され、前板本体部７１における後方ライニング３０側に位置する側部から延出する。より具体的には、延出部７２は、図６に示すように、前板本体部７１の側面における背面側に配置され、背面に沿うように後方ライニング３０側に延出する。また、図７に示すように、延出部７２の延出長さＬ１は、隙間Ｇの長さＬ２よりも長く構成される。
これにより、延出部７２の先端部は、第１入隅部前板３２１ａに形成された開口３２４まで延びる。
【００３９】
延出部７２は、図４及び図５に示すように、前板本体部７１の後方ライニング３０側に位置する側部における下端部近傍の除く部分に配置される。
本実施形態では、延出部７２は、前板本体部７１の前面及び側面を構成する化粧板を、前板本体部７１の側面から延出させ、この延出した部分を前板本体部７１の背面側において背面に沿うように折り曲げることで構成される。
【００４０】
巾木４４は、帯板状の部材により構成され、フレーム部４１の下部に、床面１０３に沿うように取り付けられる。本実施形態では、巾木４４は、手洗側フレーム部４１ａの下部に配置され、第２入隅部前板７０、中央下部前板４２２、側部前板４２４及び手洗側側板４３１と、床面１０３との間の隙間を覆う。ここで、上述のように、第２入隅部前板７０における後方ライニング３０側に位置する側部の下端部近傍には、延出部７２が配置されていない。これにより、巾木４４の後方ライニング３０側の端部と延出部７２とが干渉することを防げる。
【００４１】
ダストボックス４５は、図１及び図３に示すように、フレーム部４１の内部に配置される。本実施形態では、ダストボックス４５は、上面が開放されたかご状に形成され、手洗側フレーム部４１ａの中央部（中央下部前板４２２の背面側）に配置される。上述のように、中央上部前板４２１と中央下部前板４２２との間には、隙間が形成されているため、トイレユニット１の使用者は、この隙間からダストボックス４５にゴミを投入できる。
【００４２】
可動手すり８１は、図１に示すように、便器１０の右側方における便器１０と汚物流しユニット２０との間に配置される。可動手すり８１は、後方ライニング３０の前面３０ａに、この前面３０ａとの接続部分を支点として回動可能に固定される。より具体的には、可動手すり８１は、手すりが略水平方向に延びた使用位置（図１参照）と、手すりが鉛直方向に延びた収納位置（図示せず）との間で可動可能に構成される。
【００４３】
固定手すり８２は、便器１０の左側方に配置される。本実施形態では、固定手すり８２は、一端部が側方ライニング４０の第２入隅部前板７０に固定され、側方ライニング４０の前面４０ａに沿って水平方向に延びた後、略垂直に屈曲して上方に延び、他端部が側方壁面１０２に固定される。また、固定手すり８２の他端側は、側部前板４２４にも固定される。
【００４４】
以上説明した本実施形態のトイレユニット１によれば、以下のような効果を奏する。
【００４５】
トイレユニット１を、後方ライニング３０と、この後方ライニング３０に対して所定の角度を有するように配置される側方ライニング４０と、を含んで構成した。また、後方ライニング３０を、入隅部３４が形成される位置に配置されると共に側方ライニング４０に覆われる位置に開口３２４が形成された第１入隅部前板３２１ａを含んで構成し、側方ライニング４０を、入隅部３４が形成される位置に配置される第２入隅部前板７０を含んで構成した。そして、第２入隅部前板７０を、前板本体部７１と、前板本体部７１における後方ライニング３０側に位置する側部から第１入隅部前板３２１ａに形成された開口３２４まで後方ライニング３０側に延びる延出部７２と、を含んで構成した。これにより、トイレユニット１を設置する場合に、トイレユニット１を構成する部材の製造上のサイズ誤差を許容するために、入隅部３４において後方ライニング３０と側方ライニング４０との間に隙間Ｇが生じても、延出部７２によりこの隙間Ｇを塞げる。よって、入隅部３４を有するように後方ライニング３０及び側方ライニング４０を配置するトイレユニット１の外観をより優れたものにできる。
【００４６】
また、延出部７２を、前板本体部７１の背面側から延出させた。これにより、延出部７２を、第２入隅部前板７０における奥まった位置に配置した状態で隙間Ｇを塞げる。よって、トイレユニット１の外観をより向上させられる。
【００４７】
また、後方ライニング３０を便器１０の後方に配置し、側方ライニング４０を便器１０の側方に配置した。これにより、後方ライニング３０と側方ライニング４０との間の隙間Ｇの延びる方向を、後方ライニング３０に沿う方向に向けられる。よって、隙間Ｇをトイレユニット１の使用者の視線に入りにくくできるので、トイレユニット１の外観を更に優れたものにできる。
【００４８】
また、第２入隅部前板７０を、板部材と、板部材の前面側を覆う薄い化粧板と、を含んで構成し、この化粧板における板部材の側面から延出した部分により延出部７２を構成した。これにより、後方ライニング３０と側方ライニング４０との間の隙間Ｇを塞ぐ延出部７２を有する第２入隅部前板７０を、煩雑な製造工程を経ることなく形成できる。
【００４９】
以上、本発明のトイレユニット１の好ましい一実施形態について説明したが、本発明は、上述した実施形態に制限されるものではなく、適宜変更が可能である。
例えば、本実施形態では、延出部７２を、前板本体部７１の背面側から延出させたが、これに限らない。即ち、延出部を、前板本体部の前面側から延出させてもよい。
【００５０】
また、本実施形態では、第１ライニングを後方ライニング３０として便器１０の後方に配置し、第２ライニングを側方ライニング４０として便器１０の側方に配置したが、これに限らない。即ち、第１ライニングを側方ライニングとして便器の側方に配置し、第２ライニングを後方ライニングとして便器の後方に配置してもよい。言い換えれば、側方ライニングの前面側に後方ライニングが位置するように、側方ライニング及び後方ライニングを配置し、後方ライニングを構成する入隅部前板の延出部により隙間を塞いでもよい。
【００５１】
また、本実施形態では、延出部７２を、化粧板における板部材の側面から延出した部分により構成したが、これに限らない。即ち、延出部を、化粧板とは別部材により構成し、板部材又は化粧板に取り付けてもよい。
【符号の説明】
【００５２】
１  トイレユニット
１０  便器
３０  後方ライニング（第１ライニング）
３４  入隅部
４０  側方ライニング（第２ライニング）
７０  第２入隅部前板
７１  前板本体部
７２  延出部
３２１ａ  第１入隅部前板
３２４  開口
【図１】
2016065359.tif 000003
【図２】
2016065359.tif 000004
【図３】
2016065359.tif 000005
【図４】
2016065359.tif 000006
【図５】
2016065359.tif 000007
【図６】
2016065359.tif 000008
【図７】
2016065359.tif 000009